(57)【要約】【課題】  体積を減少し、装着し易い電磁弁を提供する。【解決手段】  装着座と、磁力セット４０と、軸心棒セット５０と、復元弾性片６０とを備える。装着座は、収納室が形成される収納ケース１０を有する。磁力セット４０は、収納ケース１０の収納室に装着される磁性ユニットを有する。軸心棒セット５０は、軸心棒と、軸心棒を取巻いて磁力セット４０の磁性ユニットの内周に位置するコイルと、軸心棒の一端に連接される抑制部とを有する。復元弾性片６０は、軸心棒セット５０に連接される連接部６１と、連接部６１と連接して弾性を変形および復元させる弾性的変形部６３と、弾性的変形部６３と連接して収納ケース１０に固定するように設けられる外側固定部６５とを有する。【選択図】    図１
0003107726.tif 000002
【実用新案登録請求の範囲】
【請求項１】
収納室が形成される収納ケースを有する装着座と、
収納ケースの収納室に装着される磁性ユニットを有する磁力セットと、
軸心棒と、軸心棒を取巻いて磁力セットの磁性ユニットの内周に位置するコイルと、軸心棒の一端に連接される抑制部とを有する軸心棒セットと、
軸心棒セットに連接される連接部と、連接部と連接して弾性を変形および復元させる弾性的変形部と、弾性的変形部と連接して収納ケースに固定するように設けられる外側固定部とを有する復元弾性片と、
を備えることを特徴とする電磁弁。
【請求項２】
復元弾性片の弾性的変形部は、渦巻形、円盤形またはリブ形のいずれか一つから構成されることを特徴とする請求項１に記載の電磁弁。
【請求項３】
軸心棒セットの軸心棒と装着座との間に連接される復元弾性片を備えることを特徴とする請求項１に記載の電磁弁。
【考案の詳細な説明】
【技術分野】
【０００１】
本考案は、電磁弁に関し、特に、軸心棒復元構造を改良した電磁弁に関するものである。
【背景技術】
【０００２】
周知の電磁弁は、駆動されることで作動する軸心棒を有し、そして、復元スプリングにより作動した後の軸心棒を元の位置に復元させ、位置を制御するものである。
【考案の開示】
【考案が解決しようとする課題】
【０００３】
しかし、電磁弁などの電子装置は、小型化の傾向があることに対し、前述のスプリング構造は比較大きい空間が費やされ、かつ装着が比較的難しく、確実に作動していないことがあるため、改善の余地がある。
【０００４】
上述の欠点に鑑みて、軸心棒構造を改良した電磁弁が考案されている。
本考案の目的は、軸心棒を復元させるための弾性ユニットの設計を簡略にすることで、体積を減少させ、装着し易くなる軸心棒構造を改良した電磁弁を提供することにある。
【０００５】
本考案のもう一つの目的は、弾性ユニットを配置し、弾力構造を改良することで、弾性ユニットにより軸心棒を速やかに元の位置に復元させることが可能である軸心棒構造を改良した電磁弁を提供することにある。
【課題を解決するための手段】
【０００６】
上述の目的を達成するために、本考案による電磁弁は、装着座と、磁力セットと、軸心棒セットと、復元弾性片とを備えるものである。そのうちの装着室は収納室が形成される収納ケースを有し、磁力セットは収納ケースの収納室に装着される磁性ユニットを有し、軸心棒セットは軸心棒と、軸心棒を取巻いて磁力セットの磁性ユニットの内周に位置するコイルと、軸心棒の一端に連接される抑制部とを有し、復元弾性片は軸心棒セットに連接される連接部と、連接部と連接して弾性を変形および復元させる弾性的変形部と、弾性的変形部と連接して収納ケースに固定するように設けられる外側固定部とを有する。
【考案を実施するための最良の形態】
【０００７】
図１から図３に示すように、本考案の一実施例による軸心棒構造を改良した電磁弁は、各種の使用に応じ、往復動作を制御可能である。電磁弁は、下記のものを備える。
装着室１は、収納ケース１０と、底板２０と、上蓋３０から構成される。
【０００８】
収納ケース１０は、収納室１３が形成されるケース部１１と、その中に装着されて中空部１６を有する受け部１５と、弾性的に変形してその端部にフックが形成される若干の係止ユニット１７とを有する。
【０００９】
底板２０は、ボルト９９により収納ケース１０の一側に締められて密封される板体２１を有する。
上蓋３０は、ボルト９９により収納ケース１０の他側に締められて密封される蓋体３１と、貫通孔３４を有する連接管３３と、封じ目３５とを有する。
【００１０】
そのうちの上蓋３０と底板２０と収納ケース１０とが組合せされた後、これらの間には第一弾性固定部１Ａと第二弾性固定部１Ｂが形成される。
磁力セット４０は、軸心棒周縁部４２と連接して軸心棒孔４３を有する筒座４１と、筒座４１を受けて収納ケース１０の収納室１３に装着される筒部４５と、３つの弧状磁石を円周に配列することで構成される磁性ユニット４７とを有する。
【００１１】
軸心棒セット５０は、軸心棒５１と、軸心棒頭部５３と、コイル５４と、その両端に形成される第一抑制弾性部５５および第二抑制弾性部５６と、密封ユニットとして軸心棒頭部５３に被せる抑制部５７とを有する。
【００１２】
復元弾性片６０は、軸心棒セット５０の軸心棒頭部５３に被せる連接部６１と、連接部６１と連接する弾性的変形部６３と、弾性的変形部６３と連接して装着座１の第二弾性固定部１Ｂに固定するように設けられる外側固定部６５とを有する。
【００１３】
復元弾性片６０Ａは、復元弾性片６０とほぼ同じであり、軸心棒セット５０の第二抑制弾性部５６に装着される連接部６１Ａと、弾性的変形部６３Ａと、装着座１の第一弾性固定部１Ａに装着される外側固定部６５Ａとを有する。
【００１４】
本実施例のユニットの組合せについて、下記の通り説明する。
まず、磁力セット４０を収納ケース１０の収納室１３に装着する。
続いて、復元弾性片６０を軸心棒セット５０の軸心棒頭部５３に結合し、この結合体を前述の収納ケース１０と磁力セット４０の結合体に装着することで、軸心棒セット５０の軸心棒５１を自由に回転できるように磁力セット４０の軸心棒孔４３に挿入し、かつ磁性ユニット４７をコイル５４の直径方向内周に位置付けることが可能である。
【００１５】
そして、復元弾性片６０Ａの連接部６１Ａと軸心棒セット５０の軸心棒５１の底端の第二抑制弾性部５６とを結合し、かつボルトにより底板２０を収納ケース１０に締める。最後に、ボルトにより上蓋３０を収納ケース１０に締めると、本実施例の装着が完成する。
【００１６】
その位置および作動について、下記の通り説明する。
図４に示すように、コイル５４に通電し、磁力および磁性ユニット４７の作用が発生することにより、軸心棒セット５０を一側へ移動させると同時に、復元弾性片６０と復元弾性片６０Ａを駆動して弾性的に変形させ、そして、本実施例では、軸心棒セット５０の抑制部５７を上蓋３０の封じ目３５に突き当たらせることにより、空気流量の大きさを制御可能である。
【００１７】
逆に、コイル５４に通電しない場合、磁力により作動することはないため、復元弾性片６０と復元弾性片６０Ａが弾性を復元することに伴い、図３に示すように、軸心棒セット５０が元の位置に復元する。
【００１８】
したがって、本実施例では、復元弾性片６０と復元弾性片６０Ａを使用することで、電磁弁の寸法を縮小し、軸心棒セット５０を元の位置に確実に復元させることが可能である。
また、復元弾性片６０は、材質がベリリウム銅であるため、比較的よい弾力復元効果を提供可能である。
【００１９】
上述の実施例のほかに、下記の通りに変化してもよい。
図５に示すように、復元弾性片６０Ｍは、渦巻き状のスプリングでもよい。また、図６に示すように、復元弾性片６０Ｎは、若干のリブ６６Ｎにより中心から外周まで繋がるように形成されるものである。
【００２０】
また、図７に示すように、復元弾性片６０Ｑは、弧状面でも球面状でもよい。または、図８に示すように、復元弾性片６０Ｒは、平坦な面に環状波形の凸凹パターン６７Ｒが形成されるものである。
【００２１】
上述の実施例の説明により、本考案の特徴は、下記の通りである。
１、本考案による軸心棒復元構造を改良した電磁弁は、軸心棒を復元させる弾性ユニットの設計を簡略にし、体積を減少させることを可能にし、かつ装着しやすいものである。
２、本考案による軸心棒復元構造を改良した電磁弁は、弾性ユニットの配置および弾力構造の改良により、軸心棒を速やかに確実に復元させることが可能である。
【図面の簡単な説明】
【００２２】
【図１】本考案の一実施例による電磁弁を示す分解斜視図である。
【図２】本考案の一実施例による電磁弁を示す分解断面図である。
【図３】本考案の一実施例による電磁弁を示す断面図である。
【図４】本考案の一実施例による電磁弁の作動状態を示す断面図である。
【図５】本考案の一実施例による電磁弁の復元弾性片を示す模式図である。
【図６】本考案の一実施例による電磁弁の復元弾性片を示す模式図である。
【図７】本考案の一実施例による電磁弁の復元弾性片を示す模式図である。
【図８】本考案の一実施例による電磁弁の復元弾性片を示す模式図である。
【符号の説明】
【００２３】
１  装着座、１Ａ  第一弾性固定部、１Ｂ  第二弾性固定部、１０  収納ケース、１１  ケース部、１３  収納室、１５  受け部、１６  中空部、１７  係止ユニット、２０  底板、２１  板体、３０  上蓋、３１  蓋体、３３  連接管、３４  貫通孔、３５  封じ目、４０  磁力セット、４１  筒座、４２  軸心棒周縁部、４３  軸心棒孔、４５  筒部、４７  磁性ユニット、５０  軸心棒セット、５１  軸心棒、５３  軸心棒頭部、５４  コイル、５５  第一抑制弾性部、５６  第二抑制弾性部、５７  抑制部、６０  復元弾性片、６０Ａ  復元弾性片、６０Ｍ  復元弾性片、６０Ｎ  復元弾性片、６０Ｑ  復元弾性片、６０Ｒ  復元弾性片、６１  連接部、６３  弾性的変形部、６３Ａ  弾性的変形部、６５  外側固定部、６５Ａ  外側固定部、６６Ｎ  リブ、６７Ｒ  凸凹パターン、９９  ボルト
【図１】
0003107726.tif 000003
【図２】
0003107726.tif 000004
【図３】
0003107726.tif 000005
【図４】
0003107726.tif 000006
【図５】
0003107726.tif 000007
【図６】
0003107726.tif 000008
【図７】
0003107726.tif 000009
【図８】
0003107726.tif 000010